(57)【特許請求の範囲】
【請求項１】
合流式下水が流入するマンホールと、該マンホールの流出部に接続されて合流式下水を分離槽内に受け入れ該合流式下水を処理水と汚水に分離する分離装置とを有し、該分離装置が分離槽の上部で越流槽へ流入した処理水を該越流槽から排水し分離槽の下部から汚水を排水する水処理装置において、マンホールは該マンホール内の合流式下水が所定水位以上のときに越流して流出部とは別の流路をなす越流部を有し、該越流部が分離装置の越流槽もしくは該越流槽の排水側に流入するように接続され、上記マンホールと分離装置は一体に接合形成されており、該マンホールの越流部と分離装置の越流槽がトラフで接続されていることを特徴とする水処理装置。
【請求項２】
トラフは分離装置の外面にバイパスをなすように設けられていることとする請求項１に記載の水処理装置。
【請求項３】
トラフは分離装置の内面にバイパスをなすように設けられていることとする請求項１に記載の水処理装置。
【請求項４】
合流式下水が流入するマンホールと、該マンホールの流出部に接続されて合流式下水を分離槽内に受け入れ該合流式下水を処理水と汚水に分離する分離装置とを有し、該分離装置が分離槽の上部で越流槽へ流入した処理水を該越流槽から排水し分離槽の下部から汚水を排水する水処理装置において、マンホールは該マンホール内の合流式下水が所定水位以上のときに越流して流出部とは別の流路をなす越流部を有し、該越流部が分離装置の越流槽もしくは該越流槽の排水側に流入するように接続され、上記マンホールと分離装置は一体に接合形成されており、該マンホールの越流部と分離装置の越流槽は配管で接続され、該配管は分離装置内に配設された中間槽を介していることを特徴とする水処理装置。
【請求項５】
合流式下水が流入するマンホールと、該マンホールの流出部に接続されて合流式下水を分離槽内に受け入れ該合流式下水を処理水と汚水に分離する分離装置とを有し、該分離装置が分離槽の上部で越流槽へ流入した処理水を該越流槽から排水し分離槽の下部から汚水を排水する水処理装置において、マンホールは該マンホール内の合流式下水が所定水位以上のときに越流して流出部とは別の流路をなす越流部を有し、該越流部が分離装置の越流槽もしくは該越流槽の排水側に流入するように接続され、上記マンホールと分離装置は一体に接合形成されており、該マンホールの越流部と分離装置の越流槽は該分離装置の分離槽を介して接続されていることを特徴とする水処理装置。
【請求項６】
合流式下水が流入するマンホールと、該マンホールの流出部に接続されて合流式下水を分離槽内に受け入れ該合流式下水を処理水と汚水に分離する分離装置とを有し、該分離装置が分離槽の上部で越流槽へ流入した処理水を該越流槽から排水し分離槽の下部から汚水を排水する水処理装置において、マンホールは該マンホール内の合流式下水が所定水位以上のときに越流して流出部とは別の流路をなす越流部を有し、該越流部が分離装置の越流槽もしくは該越流槽の排水側に流入するように接続され、上記マンホールと分離装置は一体に接合形成されており、該マンホールの越流部と分離装置の越流槽は隣接して位置し互いは隣接して一体に接合形成され、上記越流部が上記越流槽との境界壁に設けられた堰で形成されていることを特徴とする水処理装置。
【請求項７】
分離装置は渦流式の分離装置であり、縦円筒状の分離槽の下部に接線方向に接続された導入管を有し、導入管から接線方向に分離槽内へ導入された合流式下水が該分離槽内で渦流を生じながら上昇し、分離槽底部から沈殿汚水をそして上部から浮上処理水を越流させてそれぞれ分離して排出する形式に構成され、導入管が流線に直角な断面にて縦長形状をなしていることを特徴とする請求項１ないし請求項６のうちの一つに記載の水処理装置。
【請求項８】
導入管は、流線に直角な断面における流路面積が入口側位置から分離槽との接続位置に向けて次第に小さくなっていることする請求項７に記載の水処理装置。
【請求項９】
分離装置は渦流式の分離装置であり、縦円筒状の分離槽の下部に接線方向に接続された導入管を有し、導入管から接線方向に分離槽内へ導入された合流式下水が該分離槽内で渦流を生じながら上昇し、分離槽底部から沈殿汚水をそして上部から浮上処理水を越流させてそれぞれ分離して排出する形式に構成され、導入管が流線に直角な断面における流路面積が入口側位置から分離槽との接続位置に向けて次第に小さくなっていることする請求項１ないし請求項６のうちの一つに記載の水処理装置。
【請求項１０】
分離装置は渦流式の分離装置であり、縦円筒状の分離槽の下部に接線方向に接続された導入管を有し、導入管から接線方向に分離槽内へ導入された合流式下水が該分離槽内で渦流を生じながら上昇し、分離槽底部から沈殿汚水をそして上部から浮上処理水を越流させてそれぞれ分離して排出する形式に構成され、導入管は分離槽内まで進入しており、進入部分は分離槽の内周壁に沿って曲状をなしていることとする請求項１ないし請求項６のうちの一つに記載の水処理装置。
【請求項１１】
分離装置の導入管は分離装置と一体化されたマンホール外に位置し、該一体化マンホールの流出部が水位調整用の他のマンホールに接続され、該他のマンホールが導入管と接続されていることとする請求項１ないし請求項６のうちの一つに記載の水処理装置。
【発明の詳細な説明】
【０００１】
【発明の属する技術分野】
本発明はマンホールに流入する下水としての合流式下水を処理するため水処理装置に関する。
【０００２】
【従来の技術】
雨天時等にマンホールに流入する下水としての合流式下水は、一時的にでも多量となったときには、越流水として放流され、公共用水域に重大な水質汚濁をもたらすので、その対策が求められる。
【０００３】
一般に、越流水の対策としては、添付図面の図９（Ａ)のごとくのマンホール５１が用いられる。このマンホール５１は堰５１Ａを有しており、平常時には流入水５２を下水処理場５３へ向けて送っている。雨天時に、流入水が所定量以上となると、堰５１Ａを越流して河川等５４に向け放流する。
【０００４】
一方、合流式下水の簡単処理のために渦流式の分離装置が提案されている。例えば、特公昭５８−３８２０３、特公昭６０−２８５２５には、円筒状の分離槽へ下水を接線方向から流入せしめて槽内に上昇渦流を生じさせ、処理水と汚水とに分離して、処理水を上方から越流排水し、汚水を下方から排水しているものが開示されている。この分離装置は、例えば、図９（Ｂ）のごとくに用いられ、マンホール５５からの合流式下水が分離装置５６で処理されて処理水と汚水とに分離される。処理水は河川等５４に向け放流され汚水は下水処理場５３へ向け送られる。しかし、上記分離装置５６では、雨天時、特に大量降雨時には処理しきれない。又、処理しようとすると、平常時に必要な能力に比し、著しく大型の装置を用意しておかなくてはならない。
【０００５】
そこで、上記分離装置５６とマンホール５１とを組み合わせて対処することが行なわれている。図９（Ｃ）において、マンホール５１への流入水５２は、平常時には、他のマンホール５７を経て下水処理場５３へ送られる。雨天時には、所定量に達すると越流水が分離装置５６へ送られ、ここで分離され、処理水は河川等５４へ放流され、汚水は上記マンホール５７を経て下水処理場５３へ送られる。このようにして、雨天時の処理と越流対策を行なっている。
【０００６】
【発明が解決しようとする課題】
雨水による汚濁の流出に関しては、降雨時の初期にこの汚濁が流出するということが知られている。したがって、図９（Ｃ）のような装置では、降雨時初期の汚濁を含む合流式下水は多量に下水処理場に流れ込むこととなり下水処理場の負担が大きくなる。又、大量に降雨のあったときには、所定量以上の合流式下水はすべて分離装置に送り込まれてくるので、処理能力を超えてしまうことにもなる。この点では、装置は依然として大型化してしまう。
【０００７】
本発明は、かかる事情に鑑み、装置を小型化でき、下水処理場の負担を大きくすることなく越流対策を可能とする水処理装置を提供することを目的とする。
【０００８】
【課題を解決するための手段】
本発明に係る水処理装置は、合流式下水が流入するマンホールと、該マンホールの流出部に接続されて合流式下水を分離槽内に受け入れ該合流式下水を処理水と汚水に分離する分離装置とを有し、該分離装置が分離槽の上部で越流槽へ流入した処理水を該越流槽から排水し分離槽の下部から汚水を排水するようになっている。
【０００９】
かかる水処理装置において、本発明では、マンホールは該マンホール内の合流式下水が所定水位以上のときに越流して流出部とは別の流路をなす越流部を有し、該越流部が分離装置の越流槽もしくは該越流槽の排水側に流入するように接続され、上記マンホールと分離装置は一体に接合形成されており、上記マンホールの越流部と分離装置の越流槽はトラフで接続されていることを特徴としている。
【００１０】
このような本発明装置では、平常時そして降雨初期には、合流式下水は分離装置へ送られ、分離槽内で汚水と処理水とに分離され、前者は下水処理場へそして後者は河川等へ放流される。次に、降雨量が大きく、マンホール内の合流式下水が所定水位以上となると、この所定水位以下の下水は分離装置の分離槽へ送られるが、所定水位以上の分はマンホールの越流部から分離装置の分離槽を実質的に経ないで越流槽側へ達し放水される。
【００１１】
したがって、降雨初期時の汚濁は分離装置から汚水として下水処理場へ送られ、処理水及び汚濁をあまり含まない所定水位以上の越流水が河川へ放水される。したがって、下水処理場へは分離後の汚水のみが流れ込むので、下水処理場への負担は大きくない。又、分離装置では、所定水位以上の分は汚濁をあまり含まない状態ですべて河川等へ放流できるので、分離装置も大型化せずともすむ。
【００１３】
本発明において、上記トラフは分離装置の外面もしくは内面に設けることが可能である。
【００１４】
さらには、上記マンホールの越流部と分離装置の越流槽は、上記トラフによらずとも、配管で接続されているようにすることもできる。その際、配管は分離装置内に配設された中間槽を介しているようにもできる。
【００１５】
あるいは、マンホールの越流部と分離装置の越流槽は、トラフは配管を用いずとも、該分離装置の分離槽を介して接続されているようにすることも可能である。さらに、簡単化される。
【００１６】
装置全体をよりコンパクトにするには、マンホールの越流部と分離装置の越流槽は隣接して位置し互いは隣接して一体に接合形成され、上記越流部が上記越流槽との境界壁に設けられた堰で形成されているようにもできる。
【００１７】
本発明において、分離装置を渦流式のものとすることができる。該分離装置は、縦円筒状の分離槽の下部に接線方向に接続された導入管を有し、導入管から接線方向に分離槽内へ導入された合流式下水が該分離槽内で渦流を生じながら上昇し、分離槽底部から沈殿汚水をそして上部から浮上処理水を越流させてそれぞれ分離して排出する形式に構成され、導入管が流線に直角な断面にて縦長形状をなしていることが望まれる。こうすることにより、圧力損失を大きくすることなく、導入管が大流量に対応できる。
【００１８】
その際、導入管は、流線に直角な断面における流路面積が入口側位置から分離槽との接続位置に向けて次第に小さくなっていることが好ましい。こうすれば圧力損失はさらに小さくなる。この考え方は、導入管の断面が円筒の場合でも適用できる。そのときは、上記分離槽との接続位置での断面積が最小となり、しかも、半径方向寸法が小さいので分離槽の接線方向に位置することができるので、渦流発生効果は低下しない。
【００１９】
さらには、導入管は分離槽内まで進入しており、進入部分は分離槽の内周壁に沿って曲状をなしていることが好ましい。こうすることにより所定長を確保して導入管内で整流され、分離装置内で有効に渦流を発生する。
【００２０】
さらには、分離装置の導入管は分離装置と一体化されたマンホール外に位置し、該一体化マンホールの流出部が水位調整用の他のマンホールに接続され、この他のマンホールが導入管と接続されているようにすることができる。こうすることにより、導入管は長く設定でき、その結果、整流が良好になされ渦流の発生に効果的となる。
【００２１】
【発明の実施の形態】
以下、添付図面の図１ないし図８にもとづき、参考例と共に本発明の実施の形態について説明する。
【００２２】
＜参考例＞
図１は本発明に係る参考例を示し、（Ａ）は平面図、（Ｂ）は側面図として描かれた概要構成図であり、（Ｃ）はマンホールの構成を示す部分破断斜視図である。
【００２３】
マンホール１１は図１（Ｃ）のごとく箱状をなし、内部に設けられた所定高さの堰１２により流入部１３と越流部１４とに区分されており、流入部１３には合流式下水の流入のための流入管１３Ａと流出部たる流出管１３Ｂとが接続されており、越流部１４には越流管１４Ａが接続されている。
【００２４】
本参考例装置においては、上記マンホール１１は上記流出管１３Ｂが水位調整用の他のマンホール１５に接続されており、該マンホール１５が配管１６により渦流式の分離装置１７に接続されている。この分離装置は、合流式下水を汚水を汚水と処理水に分離するものであれば、その形式に限定はないが、本実施形態では渦流式の例を示している。この渦流式の分離装置自体は、従来技術として添付図面の図９（Ｂ）で示した特公昭５８−３８２０３あるいは特公昭６０−２８５２５のごとくのもので良い。したがって、図１において、上記配管１６は合流式下水が分離装置１７の下部にて接線方向に分離槽へ流入して渦流を生ずるように接続されている。該分離装置１７では分離槽内で渦流を生じた合流式下水が汚濁を多く含む汚水と汚濁をあまり含まない処理水とに分離され、汚水が分離槽下部から延出する汚水管１７Ａから、そして処理水が越流槽１７Ｂを経て排水管１７Ｃから排出される。上記汚水管１７Ａは下水処理場へ接続され、上記排出管１７Ｃはさらに他のマンホール１８を経て河川等に向かっている。
【００２５】
さらに、本参考例装置では、上記マンホール１１の越流部１４に設けられた越流管１４Ａは上記のさらに他のマンホール１８で上記排出管１７Ｃと合流するように配管１９により接続されている。
【００２６】
かかる本参考例装置にあっては、合流式下水は、先ず流入管１３Ａを通じてマンホール１１に流入する。流入量が平常時そして降雨初期では少ないので、この下水はすべて流入部１３から流出管１３Ｂをへてマンホール１５へ達するが、降雨が進行して流入量が多くなってくると流入部１３から堰１２を越流して越流部１４に至りここから越流管１４Ａを経て排水される。
【００２７】
流出管１３Ｂからマンホール１５へ至った下水は、分離装置１７へ送られ、ここで渦流を生じて、既述のごとく、汚水と処理水とに分離される。汚水は汚水管１７Ａから排出されて下水処理場へ送られ、ここで浄化処理される。又、越流槽１７Ｂ内の処理水は排水管１７Ｃそしてマンホール１８を経て河川等へ放水される。
【００２８】
一方、マンホール１１にて所定水位以上の下水は堰１２を越流し越流部１４に至り、しかる後、配管１９を経てマンホール１８に流入し、ここで上記分離装置１７の排水管１７Ｃからの処理水と合流して、河川等へ放流される。
【００２９】
一般に、マンホール１１の堰１２を越流するような水位に達するというときは、大量の降雨時であるが、汚濁は降雨初期に多く含まれ、その後次第に減じて行くことが判っており、その初期の汚濁は上記堰１２を越流する前に分離装置１７へもたらされる。したがって、その後に堰１２を越流する下水には汚濁があまり含まれておらず、分離装置１７を経ないで放水されても汚染の心配はない。かくして、大量降雨時でも、越流する分はすべて河川等へ放水できるので、分離装置あるいは下水処理場の能力を超えることはない。
【００３０】
次に、上述の図１の参考例装置の変形例を図２に示す。図２では、図１と共通部分には同一符号を付してその説明を省略する（以下の実施形態でも同様とする）。図１では、上流側に二つのマンホール１１，１５を有していたのに対し、図２の装置は一つのマンホール２０のみを有している。このマンホール２０には、上流水管２０Ａと下流水管２０Ｂとが設けられていて、平常時そして降雨初期には合流式下水は下流水管２０Ｂのみから分離装置１７へ送られるが、大量降雨時にマンホール２０内の水位が次第に上昇し所定水位まで達すると、下水は越流部としての上記上流水管２０Ａから流出して下流側のマンホール１８へ直接流れ込む、すなわち上記上流水管２０Ａは所定高さに設けられているために、図１におけるマンホール１１の堰１２と同じ機能を果たすこととなる。
【００３１】
＜第一実施形態＞
次に、図３にもとづき、本発明の第一実施形態装置について説明する。本実施形態装置はマンホールと分離装置とが一体化されている点に特徴がある。なお、図３は装置の蓋部材が外された状態で示されている。
【００３２】
図３装置において、分離装置１７に外面が角筒をなすマンホール２１が一体的に取り付けられている。マンホール２１の上部には合流式下水を導入する流入管２１Ａが取り付けられており、上部の所定高さ位置には側部に二つの角状開口２２Ａ，２２Ｂが形成されている。
【００３３】
分離装置１７は、越流槽１７Ｂには、上記マンホール２１の越流部としての開口２２Ａ，２２Ｂと同一レベル高さ位置もしくはそれより若干低い位置に角状の開口２３Ａ，２３Ｂが形成されていて、該分離装置１７の外周に上記開口２２Ａと２３Ａを、そして２２Ｂと２３Ｂとをそれぞれ連通するトラフ２４Ａ，２４Ｂが設けられている。又、上記分離装置１７には、マンホール２１内の下水を分離装置内へ導入する導入管２５が設けられている。該導入管２５はマンホール２１内で下部に位置して開口しており、上記分離装置１７に対し接線方向に取り付けられている。したがって、マンホール２１内の合流式下水は該マンホール２１の下部から上記導入管２５を経て分離装置１７内に接線方向に導入され、分離装置１７内で渦流を生じ、これによって、既述のごとく合流式下水は汚水と処理水とに分離される。又、上記分離装置１７は越流槽１７Ｂと隣接する部分の上縁に堰状に切り欠かれた越流部２６が形成されている。なお、本実施形態において、トラフ２４Ａ、２４Ｂはその一方のみでも十分である。
【００３４】
このような本実施形態では、合流式下水が流入管２１Ａからマンホール２１へ流入すると、平常時及び降雨初期には、導入管２５のみから分離装置１７へ導入される。分離処理後、汚水は汚水管１７Ａから下水処理場へもたらされ、処理水は上記越流部２６を越流して越流槽１７Ｂへ至る。
【００３５】
大量の降雨時で降雨が進行すると、マンホール２１内の下水の水位は次第に上昇し、開口２２Ａ，２２Ｂの高さまで達する。したがって下水は該開口２２Ａ，２２Ｂから流出してトラフ２４Ａ，２４Ｂを経て開口２３Ａ，２３Ｂより越流槽１７Ｂ内へ流入する。そして越流槽１７Ｂから排水管１７Ｃを経て河川等へ放水される。
【００３６】
図３において、渦流式の分離装置１７の導入管２５は、同図の実線のごとく円筒管でもよいが、導入すべき下水の量が多いときには、二点鎖線で示される断面が縦長の導入管２５Ａとするのが良い。実線の円筒導入管２５の径を太くしても多量の下水を導入できるが、径を太くすることにより流れの中心が分離槽の接線位置から遠く（すなわち分離槽の中央に近く）なり渦流の発生力がそれだけ低下し、又、圧力損失が大きくなる。そこで、上記接線位置を保持しつつ流量を多くするには上記の断面が縦長の導入管２５Ａが望ましい。その際、上記断面における流路面積が入口側位置から分離槽との接続位置に向けて次第に小さくなるように変化させておくと、圧力損失がさらに小さくなる。これは、既出の図１，２の実施形態、さらには、後述の図４以降の実施形態でも同様である。又、これは導入管の断面が円筒形の場合も適用可能で、該導入管が分離槽との接続部分で断面積が最小となるので、上記接線位置にとどまって渦流発生力を維持する。
【００３７】
又、導入管は、円筒形の場合そして縦長の場合でも、分離槽内へ進入させておくことが可能である。導入管は効果的に渦流を生じさせるために整流させることが望ましいが、そのための助走距離を上記進入部分で確保し、しかも槽外に出ている部分を短くできるので、装置の小型化を害しない。したがって、進入部分は分離槽の円周壁に沿って曲状をなしていることが好ましい。又、導入管内に整流板を設けておくことも一策である。上記進入部分は可撓管を用いれば、分離槽の内周面に沿って自ずと曲状をなすので、好都合である。これらの点に関しても、既出の図１，２の実施形態そして後述の図４以降の実施形態においても同様である。
【００３８】
次に、図４にもとづき、本実施形態の変形例を示す。図３の例ではトラフは分離装置１７の外周に設けられていたが、図４の例ではこのトラフ２７は内周に設けられていることに特徴がある。こうすることにより、分離装置１７内の上部空間を利用して分離装置を小型化することが可能となる。
【００３９】
図４の場合、トラフ２７は分離装置１７の槽本体の内壁に沿って形成されかつこの内壁に固定されている。マンホール２１とトラフ２７、そしてトラフ２７と越流槽１７Ｂは、それぞれ分離装置に形成された越流部としての開口２８Ａ，２８Ｂによって連通されている。
【００４０】
したがって、マンホール２１内で所定水位以上になった下水は開口２８Ａからトラフ２７を経て開口２８Ｂへ達し、ここから越流槽１７Ｂ内へ流入する。なお、この例においても、図３の場合と同様、トラフ２７は内周の一方の側のみでも十分である。
【００４１】
＜第二実施形態＞
次に、図５に示される第二実施形態装置を説明する。本実施形態では、図３そして図４のトラフに代え、分離装置内に無底の中間槽を配設し、これを介してマンホールと分離装置の越流槽とを配管により連通させている点に特徴がある。
【００４２】
図５において、分離装置１７内には無底の中間槽２９が配設されており、マンホール２１の上部と該中間槽２９とが越流部としての配管３０により、そして該中間槽２９と越流槽１７Ｂとが配管３１によりそれぞれ連通されている。
【００４３】
本実施形態では、大量の降雨時に降雨が進行して合流式下水がマンホール２１内で所定水位以上に達すると、該下水は配管３０を経て中間槽２９に集水される。この中間槽２９では下方から分離後の処理水が上昇してくるが、配管３０からの下水はこれと一緒になって配管３１を通して越流槽１７Ｂへ流入する。
【００４４】
＜第三実施形態＞
本実施形態では、分離装置の所定高さ位置に開口を設けてマンホールと連通しただけで、きわめて簡単な構造となっている点に特徴がある。図６において、分離装置の槽本体には所定高さに越流部としての開口２８Ａが形成されていて、ここでマンホール２１と連通している。
【００４５】
したがって、大量の降雨時に、降雨が進行して合流式下水がマンホール２１内で上昇すると、下水は上記開口２８Ａから分離装置１７内に流入し、該分離装置１７で汚水から分離された処理水と共に切欠状の越流部２６から越流槽１７Ｂへ流入する。
【００４６】
＜第四実施形態＞
本実施形態では、マンホールと分離装置の越流槽とが隣接して設けられて一体的に接合されている点に特徴がある。図７に見られるように、本実施形態では、マンホール２１と分離装置１７の越流槽１７Ｂとは境界壁３２をもって互いに一体的に接合して設けられている。この境界壁３２には、所定高さ位置に越流部としての堰３３が形成されていて、上記マンホール２１と越流槽１７Ｂとが連通している。本実施形態では、大量の降雨時に降雨が進行してマンホール２１内の下水の水位が上昇すると、下水は上記堰３３を経てすぐに越流槽１７Ｂへと流入する。本実施形態では、図示のごとく、装置全体がきわめて小型化できるという点に利点がある。上記堰３３は、図示のごとく上方に開放されていても、窓状をなしていても良い。
【００４７】
＜第五実施形態＞
第一ないし第四実施形態にあっては、分離装置１７の導入管２５は、該分離装置１７と一体化されたマンホール２１内にあったが、この導入管を該マンホール２１外に位置せしめて該導入管を整流に十分な長さとすることもできる。例えば、図８のごとく、水位調整用のマンホール３５を設けて、上記マンホール２１の下部と該マンホール３５を流出管２１Ｂで接続せしめることにより、平常時及び降雨初期は合流式下水をマンホール２１そしてマンホール３５を経て分離装置１７へ流入せしめ、降雨が進行してマンホール２１の水位が所定水位に達したときに下水が該マンホール２１の堰を越流して、例えば図３のトラフ２４Ａ（２４Ｂ）を経て越流槽１７Ｂに流入するようにしてもよい。この越流の方法は、上記の図３の場合と同様に、図４〜図７の形式のものにも適用できる。
【００４８】
【発明の効果】
以上のように、本発明は、マンホールの越流部と分離装置の越流槽側と接続することとしたので、降雨時初期に発生する汚濁は分離装置で処理されて下水処理場の負担を大きくすることなく、又、所定量以上の合流式下水を汚濁をあまり含まない状態で放水してしまうので装置の小型化が図れる。さらに、マンホールと分離装置とを一体に形成し、マンホールの越流部と分離装置の越流槽とを、トラフによりあるいは中間槽を介して配管により、あるいは分離槽を介し、あるいは上記越流部と越流槽との間に堰を設けるようにして接続したので、装置全体が一層小型化されると共に、現場での据付工事等その取扱いも簡単となる。したがって、装置そして工事のための必要経費も低減される。
【図面の簡単な説明】
【図１】  本発明に係る参考例装置の概要構成を示し、（Ａ）は平面図、（Ｂ）は側面図、（Ｃ）はマンホールの斜視図である。
【図２】  図１装置の変形例の概要構成を示し、（Ａ）は平面図、（Ｂ）は側面図である。
【図３】  本発明の第一実施形態装置を示す部分破断斜視図である。
【図４】  図３装置の変形例を示し、（Ａ）は装置の部分破断斜視図、（Ｂ）はトラフ位置での縦断面図である。
【図５】  本発明の第二実施形態装置を示し、（Ａ）は装置の部分破断斜視図、（Ｂ）は中間槽及びこれに接続された配管位置での縦断面図である。
【図６】  本発明の第三実施形態装置を示す部分破断斜視図である。
【図７】  本発明の第四実施形態装置を示す部分破断斜視図である。
【図８】  本発明の第五実施形態装置を示す概要構成図である。
【図９】  従来装置の概要構成を示し、（Ａ）はマンホールを用いたもの、（Ｂ）は渦流式の分離装置を用いたもの、（Ｃ）は両者を組み合わせたものの例をそれぞれ示す。
【符号の説明】
１１  マンホール
１４  越流部
１７  分離装置
１７Ｂ  越流槽
２０  マンホール
２０Ａ  越流部
２１  マンホール
２２Ａ，２２Ｂ  越流部
２４Ａ，２４Ｂ  トラフ
２７  トラフ
２８Ａ  越流部
２９  中間槽
３０  越流槽
３２  境界壁
３３  越流部（堰）
３５  他のマンホール
【図１】
0003697547.tif 000002
【図２】
0003697547.tif 000003
【図３】
0003697547.tif 000004
【図４】
0003697547.tif 000005
【図５】
0003697547.tif 000006
【図６】
0003697547.tif 000007
【図７】
0003697547.tif 000008
【図８】
0003697547.tif 000009
【図９】
0003697547.tif 000010